(57)【要約】【課題】寝ている体毛の外刃に対する導入性能の向上を図ることのできる電気かみそりを得る。【解決手段】桟４０は、体毛７１を起立させる起毛部４５ｃを有する起毛桟４５を備えており、当該起毛桟４５の起毛部４５ｃは、他の桟４３，４４の起毛部４３ｃ，４４ｃよりも起毛力が大きくなるように設定されている。そして、この起毛桟４５の肌接触面４５ｊを略Ｖ字状に形成した。【選択図】図８
2011200488.tif 000002
【特許請求の範囲】
【請求項１】
桟によって画成された刃穴を有する外刃と、当該外刃の内方に配設されて前記外刃に対して相対移動することで、前記刃穴に挿入された体毛を切断する内刃と、を備える電気かみそりであって、
前記桟は、体毛を起立させる起毛部を有する起毛桟を備えるとともに、当該起毛桟の起毛部は、他の桟の起毛部よりも起毛力が大きくなるように設定されており、
前記起毛桟の肌接触面が略Ｖ字状に形成されていることを特徴とする電気かみそり。
【請求項２】
前記肌接触面は、平坦面と、当該平坦面の両端から延設された傾斜面と、を備えており、前記平坦面と傾斜面との境界部をなだらかに湾曲させて連結したことを特徴とする請求項１に記載の電気かみそり。
【請求項３】
前記起毛桟の肌接触面に、前記他の桟の外面と異なる形態となるように表面加工を施したことを特徴とする請求項１または請求項２に記載の電気かみそり。
【請求項４】
前記起毛桟の肌接触面に、前記他の桟の外面とは異なる表面処理を施したことを特徴とする請求項１〜３のうちいずれか１項に記載の電気かみそり。
【請求項５】
前記起毛桟の外面の一部が、当該起毛桟の他の外面よりも摩擦係数が高い高摩擦面となっており、当該高摩擦面が、前記起毛桟の肌接触面を含むことを特徴とする請求項１〜４のうちいずれか１項に記載の電気かみそり。
【発明の詳細な説明】
【技術分野】
【０００１】
本発明は、電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛、すなわち、寝ている体毛は剃りにくいという問題がある。そこで、寝ている体毛を起こす起毛力が従来よりも大きい起毛部を外刃の桟に設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
しかしながら、上記従来の技術では、複数の桟は、それぞれの肌接触面が同一平面に含まれるように形成されているため、桟に設けた起毛部が寝ている体毛の下（体毛と肌面との間）に入り込みにくかった。すなわち、上記従来の技術では、寝ている体毛の外刃に対する導入性能があまりよくなかった。
【０００５】
そこで、本発明は、寝ている体毛の外刃に対する導入性能の向上を図ることのできる電気かみそりを得ることを目的とする。
【課題を解決するための手段】
【０００６】
本発明にあっては、桟によって画成された刃穴を有する外刃と、当該外刃の内方に配設されて前記外刃に対して相対移動することで、前記刃穴に挿入された体毛を切断する内刃と、を備える電気かみそりであって、前記桟は、体毛を起立させる起毛部を有する起毛桟を備えるとともに、当該起毛桟の起毛部は、他の桟の起毛部よりも起毛力が大きくなるように設定されており、前記起毛桟の肌接触面が略Ｖ字状に形成されていることを特徴とする。
【発明の効果】
【０００７】
本発明によれば、起毛桟の肌接触面を略Ｖ字状に形成したため、電気かみそり使用時に、起毛桟を肌により食い込ませることができ、寝ている体毛をより効率的に起毛させることができるようになる。すなわち、本発明によれば、寝ている体毛の外刃に対する導入性能の向上を図ることができる。
【図面の簡単な説明】
【０００８】
【図１】図１は、本発明の一実施形態にかかる電気かみそりを示す正面図である。
【図２】図２は、本発明の一実施形態にかかる内刃を示す斜視図である。
【図３】図３は、本発明の一実施形態にかかる外刃カセットを模式的に示す斜視図である。
【図４】図４は、本発明の一実施形態にかかる外刃を側方から見た概略図である。
【図５】図５は、本発明の一実施形態にかかる外刃の一部を拡大した斜視図である。
【図６】図６は、本発明の一実施形態にかかる他の桟の断面図である。
【図７】図７は、本発明の一実施形態にかかる他の桟の断面図である。
【図８】図８は、本発明の一実施形態にかかる起毛桟を示す断面図であって、（ａ）は、起毛桟の断面図、（ｂ）は、起毛部の拡大断面図である。
【図９】図９は、本発明の一実施形態にかかる起毛桟を示す斜視図である。
【図１０】図１０は、図９のＡ−Ａ線断面図である。
【図１１】図１１は、本発明の一実施形態にかかる長板状部材の平面図である。
【図１２】図１２は、本発明の一実施形態にかかる長手方向桟の配置状態を示す図であって、（ａ）は、図１１の一部拡大平面図、（ｂ）は、図１２（ａ）のＢ−Ｂ線断面図である。
【図１３】図１３は、本発明の一実施形態にかかる長手方向桟の配置状態を示す拡大断面図である。
【図１４】図１４は、本発明の一実施形態にかかる起毛桟が寝ている体毛を起こす様子を模式的に示す図であって、（ａ）は、起毛桟の起毛部が寝ている体毛の下に入り込んだ状態を模式的に示す断面図、（ｂ）は、起毛部が寝ている体毛を起こす状態を模式的に示す断面図である。
【発明を実施するための形態】
【０００９】
以下、本発明の実施形態について図面を参照しながら詳細に説明する。なお、以下では、複数の外刃が並設される方向を前後方向（剃り方向）Ｘ、各外刃が延在する方向を左右方向Ｙとして説明する。また、外刃が上方を向くようにヘッド部を配置した状態における上下方向を上下方向Ｚとして説明する。
【００１０】
本実施形態にかかる電気かみそり１は、図１に示すように、手で把持するグリップ部２と、グリップ部２に固定されたヘッド部５と、を備えている。
【００１１】
グリップ部２は、図示せぬ電池が内蔵される合成樹脂製のグリップ本体３と、このグリップ本体３の上面より後方に突設された合成樹脂製のグリップ接続部４と、を備えている。なお、グリップ接続部４の上面に、公知の左右揺動機構および公知の前後揺動機構のうちの少なくともいずれかの機構を設け、ヘッド部５をグリップ部２に左右方向や前後方向に揺動できるように取り付けてもよい。
【００１２】
ヘッド部５は、図示せぬリニアモータが内蔵され、グリップ接続部４に接続されるリニアヘッド部６と、当該リニアヘッド部６に取り付けられる刃ユニット７と、を備えている。そして、グリップ本体３には、図１に示すように、リニアモータの駆動をオン、オフさせるスイッチ部９０が形成されている。なお、グリップ本体３に、電池の充電状況等を表示する表示部を設けるようにしてもよい。
【００１３】
刃ユニット７は、ヘッド部５の上方に向けて露出する外刃８と、当該外刃８の内方（外刃８の下側）に配設されて外刃８に対して相対移動する内刃１３と、を備えている。
【００１４】
本実施形態では、４枚（複数）の外刃を備えており、第１のネット刃９、仕上げ用ネット刃１０、スリット刃１１、第２のネット刃１２が前後方向Ｘに並設されている。
【００１５】
ネット刃９，１０，１２はいずれも、図４に示すように、側面視（左右方向Ｙに外刃を視た状態）で上方が凸となるように前後方向（短手方向）Ｘに沿って逆Ｕ字状に湾曲して形成されている。さらに、ネット刃９，１０，１２は、正面視（前後方向Ｘに外刃を視た状態）で上方が凸となるように左右方向（長手方向）Ｙに沿って若干湾曲して形成されている。なお、本実施形態では、ネット刃９，１０，１２を、正面視で上方が凸となるように湾曲させているが、必ずしも湾曲させる必要はない。
【００１６】
そして、このネット刃９，１０，１２には、多数の刃穴５０が桟４０によって画成されている。さらに、本実施形態では、図３に示すように、仕上げ用ネット刃１０の刃幅（前後方向Ｘの幅）が、第１及び第２のネット刃９，１２の刃幅（前後方向Ｘの幅）よりも小さくなるようにしている。このように、仕上げ用ネット刃１０の刃幅を他のネット刃９，１２の刃幅に比して小さく、すなわち、仕上げ用ネット刃１０の曲率半径を小さく設けることで、表面に押し付けた肌７０を刃穴５０から大きく内側に突出させて体毛７１（図１４参照）を短く剃ることができるようにしている。
【００１７】
スリット刃１１は、前後方向（短手方向）Ｘに沿ってコ字状に湾曲形成されており、平坦な上壁から側壁に至る多数のスリット（刃穴）を穿設することで形成されている。
【００１８】
すなわち、スリット刃１１には、多数のスリット（刃穴）が、平坦な上壁から側壁に至る略コ字状の桟および側壁の下部で長手方向（左右方向）Ｙに沿って延在する桟によって画成されている。
【００１９】
そして、外刃８を成す各ネット刃９，１０，１２およびスリット刃１１は、それぞれ専用の外刃枠１９，２０，２２および２１に取り付けられている。
【００２０】
さらに、外刃枠２０の第１のネット刃９側には、肌ガード部材２０ａが形成されており、仕上げ用ネット刃１０を前後に挟むスリット刃１１と肌ガード部材２０ａとによって、曲率半径の小さな仕上げ用ネット刃１０に肌７０が強く押し付けられることを効果的に防止している。
【００２１】
そして、第１のネット刃９が取り付けられた外刃枠１９、仕上げ用ネット刃１０が取り付けられた外刃枠２０、スリット刃１１が取り付けられた外刃枠２１および第２のネット刃１２が取り付けられた外刃枠２２を、外刃フレーム１８にそれぞれ係合させることで、外刃カセット３０を形成している。この外刃カセット３０は、リニアヘッド部６に取り付けられている。
【００２２】
内刃１３は、外刃８を成す各ネット刃９，１０，１２およびスリット刃１１に対して専用のものが設置されている。具体的には、各ネット刃９，１０，１２の下方（内方）に、対応するネット刃９，１０，１２の湾曲に沿う逆Ｕ字状の内刃１４，１５，１７が配設されている（図２参照）。なお、スリット刃１１の下方（内方）には、このスリット刃１１の湾曲に沿うコ字状のスリット内刃（図示せず）が配設されている。
【００２３】
そして、これら内刃１４，１５，１７およびスリット内刃（図示せず）は、上述の図示せぬリニアモータに取り付けられており、リニアモータを駆動させると、内刃１４，１５，１７およびスリット内刃（図示せず）がそれぞれ左右方向（長手方向）Ｙに往復動するようになっている。
【００２４】
このように、各ネット刃９，１０，１２およびスリット刃１１の下方（内方）に配設された内刃１４，１５，１７およびスリット内刃（図示せず）を、各ネット刃９，１０，１２およびスリット刃１１に対してそれぞれ相対移動（左右方向Ｙへの往復動）させることで、各ネット刃９，１０，１２の刃穴５０およびスリット刃１１のスリット内に挿入された体毛７１を、各ネット刃９，１０，１２およびスリット刃１１と、内刃１４，１５，１７およびスリット内刃（図示せず）と、で協働して切断するように構成している。
【００２５】
次に、本実施形態にかかるネット刃９，１０，１２について詳細に説明する。
【００２６】
本実施形態では、ネット刃９，１０，１２は、桟４０によって多数の刃穴５０が画成されている。具体的には、桟４０は、図５に示すように、短手方向（前後方向）Ｘに沿って波状に延在する短手方向桟（他の桟）４１と、長手方向（左右方向）Ｙに沿って延在する長手方向桟４２と、を備えている。そして、これらの桟４１，４２によって平面視略六角状の刃穴５０が画成されている。この刃穴５０は、体毛７１が挿入可能な大きさに形成されている。
【００２７】
なお、本実施形態では、多数の刃穴５０を画成した長板状部材９ｃ，１０ｃ，１２ｃ（図１１参照）を、上方が凸となるように前後方向（剃り方向）Ｘに沿って逆Ｕ字状に湾曲させた状態で外刃枠１９，２０，２２にそれぞれ取り付けることで、側方から見て逆Ｕ字状に湾曲したネット刃９，１０，１２を形成している。
【００２８】
このように、側方から見て逆Ｕ字状に湾曲形成したネット刃９，１０，１２は、最も高い部位に位置する頂部９ａ，１０ａ，１２ａが、肌７０との接触圧が大きくなる部位となる。そして、頂部９ａ，１０ａ，１２ａの短手方向両側の外側に位置する外側部９ｂ，１０ｂ，１２ｂが、頂部９ａ，１０ａ，１２ａよりも肌７０との接触圧が小さくなる部位となる。なお、図５における一点鎖線は頂部９ａ，１０ａ，１２ａの短手方向の中心を通る中心線である。
【００２９】
また、本実施形態では、長手方向桟４２は、図６に示す断面形状の長手方向桟（他の桟）４３と、図７に示す断面形状の長手方向桟（他の桟）４４と、図８（ａ）に示す断面形状の長手方向桟（起毛桟）４５と、を備えている。
【００３０】
長手方向桟（他の桟）４３は、図６に示すように、肌７０側（図６の上側）に形成されて肌７０が接触する略平坦状の表面（肌接触面：外面）４３ａと、内刃１３側（図６の下側）に平坦状に形成された底面（外面）４３ｂと、表面（肌接触面：外面）４３ａおよび底面（外面）４３ｂの短手方向端部同士を滑らかに結ぶ両側面（体毛導入面：外面）４３ｃ，４３ｃと、で断面略蒲鉾状に形成されている。また、長手方向桟（他の桟）４３の底部４３ｄの短手方向両端部には、内刃１３側に突出して内刃１３に摺接する摺接部４３ｅが形成されており、当該摺接部４３ｅと内刃１３とで体毛７１を切断するようになっている。そして、本実施形態では、長手方向桟（他の桟）４３の上部４３ｆの短手方向端４３ｇが、曲率半径Ｒ１の断面半円状に形成されており、肌７０に与えるダメージを抑制できるようになっている。このＲ１は、例えば１０μｍが好ましい。
【００３１】
また、長手方向桟（他の桟）４４も、図７に示すように、肌７０側（図７の上側）に形成されて肌７０が接触する略平坦状の表面（肌接触面：外面）４４ａと、内刃１３側（図７の下側）に平坦状に形成された底面（外面）４４ｂと、表面（肌接触面：外面）４４ａおよび底面（外面）４４ｂの短手方向端部同士を滑らかに結ぶ両側面（体毛導入面：外面）４４ｃ，４４ｃと、で断面略蒲鉾状に形成されている。また、長手方向桟（他の桟）４４の底部４４ｄの短手方向両端部には、内刃１３側に突出して内刃１３に摺接する摺接部４４ｅが形成されており、当該摺接部４４ｅと内刃１３とで体毛７１を切断するようになっている。そして、本実施形態では、長手方向桟（他の桟）４４の上部４４ｆの短手方向端４４ｇが、曲率半径Ｒ３の断面半円状に形成されており、肌７０に与えるダメージを抑制できるようになっている。このＲ３は、例えば１０μｍ以上とするのが好ましい。
【００３２】
ここで、短手方向桟（他の桟）４１の表面４１ａは長手方向桟（他の桟）４３の表面４３ａよりも肌７０側に近づけており、長手方向桟（他の桟）４３の表面４３ａと短手方向桟（他の桟）４１の表面４１ａとの上下距離はＬ１に設定されている。また、短手方向桟（他の桟）４１の表面４１ａは長手方向桟（他の桟）４４の表面４４ａとほぼ面一になっており、長手方向桟（他の桟）４４の表面４４ａと短手方向桟４１の表面４１ａとの上下距離Ｌ３は、ほぼゼロとなっている。
【００３３】
長手方向桟（起毛桟）４５は、図８（ａ）に示すように、断面略Ｖ字状に形成されている。具体的には、短手方向中央部には、略平板状の平板部４５ａが形成されており、この平板部４５ａの短手方向両端には、平板部４５ａ側から短手方向の両端に向かうにつれて上方に位置するように傾斜した傾斜部４５ｂが設けられている。この傾斜部４５ｂは、平板部４５ａ側から短手方向の両端に向かうにつれて幅狭となるテーパ状に形成されており、当該傾斜部４５ｂの短手方向端４５ｌには、体毛７１を起立させる起毛部４５ｃが形成されている。この起毛部４５ｃは、肌面とのなす角度が小さい体毛（寝ている体毛）７１をより効率的に起こす起毛作用を有している。このように、本実施形態では、長手方向桟（起毛桟）４５には、主に剃り方向の一方方向（図１４の左から右：ａ方向）に移動させた際に起毛作用を発揮する起毛部４５ｃ（図１４の右側）と、主に剃り方向他方方向（図１４の右から左）に移動させた際に起毛作用を発揮する起毛部４５ｃ（図１４の左側）と、が設けられている。すなわち、複数の起毛部を異なる方向を向くように起毛桟に設けることで、起毛桟が、少なくとも２方向への移動の際に起毛作用を発揮できるようにしている。
【００３４】
なお、本実施形態では、長手方向桟（他の桟）４３の側面４３ｃおよび長手方向桟（他の桟）４４の側面４４ｃも、体毛７１を起立させる起毛部として機能するものである。ただし、側面４３ｃおよび側面４４ｃも、肌面とのなす角度が小さい体毛７１を起こす起毛作用を有しているが、起毛部４５ｃの方が、側面４３ｃおよび側面４４ｃよりも効率的に寝ている体毛７１を起こすことができる。すなわち、起毛部４５ｃの方が、側面４３ｃおよび側面４４ｃよりも寝ている体毛７１を起こす起毛力が大きくなっている。
【００３５】
このように、本実施形態では、長手方向桟（起毛桟）４５に、長手方向桟（他の桟）４３の起毛部（本実施形態では、側面４３ｃ）および長手方向桟（他の桟）４４の起毛部（本実施形態では、側面４４ｃ）よりも起毛力の大きい起毛部４５ｃを設けている。
【００３６】
また、長手方向桟（起毛桟）４５は、平板部４５ａの上部平坦面（外面）４５ｄ、傾斜部４５ｃの上部傾斜面（外面）４５ｅ、平板部４５ａの底面（外面）４５ｆおよび傾斜部４５ｃの下部傾斜面（外面）４５ｇによって画成されている。
【００３７】
そして、上部平坦面４５ｄおよび上部傾斜面４５ｅが、肌７０に接触する肌接触面４５ｊに相当し、下部傾斜面４５ｇが体毛７１を外刃内（内刃側）に導入する体毛導入面４５ｋに相当している。
【００３８】
すなわち、本実施形態では、肌接触面４５ｊは、上部平坦面（平坦面）４５ｄと、短手方向の両端に向かうにつれて上方に位置するように、上部平坦面（平坦面）４５ｄの短手方向の両端から延設された上部傾斜面（傾斜面）４５ｅ，４５ｅと、を備えており、略Ｖ字状に形成されている。そして、上部平坦面（平坦面）４５ｄと上部傾斜面（傾斜面）４５ｅ，４５ｅとは、境界部４５ｉを介してなだらかに湾曲して連結されている。
【００３９】
また、起毛部４５ｃの短手方向端４５ｌと短手方向桟４１の表面４１ａとの上下距離はＬ２に設定されており、Ｌ３＜Ｌ２＜Ｌ１の大小関係でオフセット配置されている。
【００４０】
さらに、図８（ｂ）に示すように、傾斜部４５ｂの短手方向端４５ｌは、曲率半径Ｒ２の断面半円状に形成されており、Ｒ２＜Ｒ１≦Ｒ３の大小関係に設定されている。このＲ２は、例えば３μｍが好ましい。ここで、二点鎖線で示す短手方向の基準線６０と上部傾斜面４５ｅとのなす逃げ角度αは、長手方向桟（他の桟）４３の表面４３ａと短手方向の基準線６０とのなす逃げ角度（０°）および長手方向桟（他の桟）４４の表面４４ａと短手方向の基準線６０とのなす逃げ角度（０°）よりも大きく設定されている。このように、肌７０との接触圧が高い部位における逃げ角度を、肌７０との接触圧が低い部位における逃げ角度αよりも小さく設定することで、肌７０との接触圧が高い部位が肌７０に与える影響（ダメージ）を抑制している。
【００４１】
さらに、本実施形態では、長手方向桟（起毛桟）４５の長手方向端部４５ｍは、図８，９に示すように、短手方向桟４１の側壁面４１ｂから長手方向に向けて断面略直線状に延びており、長手方向端部４５ｍと長手方向中央部４５ｎとは、境界部４５ｏを介してなだらかに湾曲して連結されている。この境界部４５ｏの曲率半径は例えば１０μｍが好ましい。
【００４２】
ここで、本実施形態では、長手方向桟（起毛桟）４５の外面の一部を、当該長手方向桟（起毛桟）４５の他の外面よりも摩擦係数が高い高摩擦面４５ｈとしている。
【００４３】
具体的には、長手方向桟（起毛桟）４５の肌接触面４５ｊおよび体毛導入面４５ｋの摩擦係数を長手方向桟（起毛桟）４５の底面４５ｆの摩擦係数よりも高くしている。
【００４４】
さらに、本実施形態では、長手方向桟（起毛桟）４５の肌接触面４５ｊおよび体毛導入面４５ｋの摩擦係数を他の桟（短手方向桟４１や長手方向桟４３，４４）の外面（底面、側面等）の摩擦係数よりも高くしている。
【００４５】
この肌接触面４５ｊおよび体毛導入面４５ｋの摩擦係数は、肌接触面４５ｊや体毛導入面４５ｋに表面加工を施し、他の桟の外面と異なる形態となるようにすることで高めることができる。
【００４６】
例えば、肌接触面４５ｊや体毛導入面４５ｋにシボ加工やローレット加工などを施し微細な凹凸状の表面模様をつけるようにすればよい。
【００４７】
このとき、肌接触面４５ｊや体毛導入面４５ｋに、塗装やメッキなどの表面処理を施してもよい。すなわち、肌接触面４５ｊや体毛導入面４５ｋに、他の桟の外面とは異なる表面処理を施してもよい。
【００４８】
なお、肌接触面４５ｊや体毛導入面４５ｋに塗装やメッキなどの表面処理を施すことで、肌接触面４５ｊや体毛導入面４５ｋの摩擦係数を高めるようにすることも可能である。
【００４９】
また、本実施形態では、ネット刃９，１０，１２の領域のうち肌７０との接触圧が高い部位（頂部９ａ，１０ａ，１２ａ）に、長手方向桟（他の桟）４３を配置するとともに、接触圧が低い部位（外側部９ｂ，１０ｂ，１２ｂ）に、長手方向桟（起毛桟）４５を配置している。
【００５０】
さらに、肌７０と接触する表面（肌接触面）４３ａが、長手方向桟（起毛桟）４５の起毛部４５ｃよりも内刃１３側に位置する長手方向桟（他の桟）４３を、短手方向（前後方向：剃り方向）Ｘ前方で長手方向桟（起毛桟）４５と隣り合うように設けている。
【００５１】
具体的には、頂部９ａ，１０ａ，１２ａの短手方向Ｘ両側に延在する外側部９ｂ，１０ｂ，１２ｂの頂部側（内側）端部に、長手方向桟（起毛桟）４５をそれぞれ設けている。
【００５２】
そして、それぞれの長手方向桟（起毛桟）４５の短手方向Ｘ外側（図１３の下側）に、各長手方向桟（起毛桟）４５と隣り合うように長手方向桟（他の桟）４３をそれぞれ設けている。
【００５３】
また、長手方向桟（起毛桟）４５の剃り方向後方にも、長手方向桟（他の桟）４３が配置されている。すなわち、長手方向桟（起毛桟）４５の短手方向両隣に長手方向桟（他の桟）４３が配置されている。
【００５４】
このように、長手方向桟（他の桟）４３を長手方向桟（起毛桟）４５と隣り合うように設けることで、起毛部４５ｃの剃り方向前方の空間を広くし、肌７０をより内刃１３側に食い込ませることができるようにしている。すなわち、電気かみそり１の使用時に、起毛部４５ｃを肌７０により食い込ませることで、寝ている体毛７１をより効率的に起毛させることができるようにしている（図１４参照）。
【００５５】
さらに、本実施形態では、各長手方向桟（起毛桟）４５と隣り合うように設けられた長手方向桟（他の桟）４３の短手方向Ｘ外側（図１３の下側）に、肌７０と接触する表面（肌接触面）４４ａが、長手方向桟（起毛桟）４５の起毛部４５ｃよりも肌７０側に位置する長手方向桟（他の桟）４４をそれぞれ設けている。
【００５６】
このように、長手方向桟（他の桟）４４を設けることで、起毛部４５ｃが肌７０に食い込み過ぎてしまうのを抑制し、肌７０に与える影響（ダメージ）を抑制できるようにしている（図１４参照）。
【００５７】
なお、図１４では、ネット刃（外刃）９，１０，１２を剃り方向の一方方向（図１４の左から右：ａ方向）に移動させたものを例示したが、剃り方向他方方向（図１４の右から左）にネット刃（外刃）９，１０，１２を移動させた場合にも、同様の作用、効果を奏することができる。この場合、剃り方向の前後が入れ替わることとなる。
【００５８】
また、本実施形態では、短手方向桟４１も、肌７０と接触する表面（肌接触面）４１ａが、長手方向桟（起毛桟）４５の起毛部４５ｃよりも肌７０側に位置しており、この短手方向桟４１および長手方向桟（他の桟）４４とで、肌７０に与える影響（ダメージ）をより効果的に抑制している。
【００５９】
以上説明したように、本実施形態では、長手方向桟（起毛桟）４５の肌接触面４５ｊを略Ｖ字状に形成している。そのため、電気かみそり１の使用時に、起毛部４５ｃを肌７０により食い込ませることができ、寝ている体毛７１をより効率的に起毛させることができるようになる（図１４参照）。すなわち、本実施形態によれば、寝ている体毛７１のネット刃（外刃）９，１０，１２に対する導入性能の向上を図ることができる。
【００６０】
また、本実施形態では、肌接触面４５ｊは、上部平坦面（平坦面）４５ｄと、上部傾斜面（傾斜面）４５ｅ，４５ｅと、を備えており、上部平坦面（平坦面）４５ｄと上部傾斜面（傾斜面）４５ｅ，４５ｅと境界部４５ｉをなだらかに湾曲させて連結している。そのため、肌７０が肌接触面上を滑りにくくなり過ぎ、使用者の使い勝手が悪化してしまうのを抑制することができる。また、肌接触面４５ｊを滑らかに形成することで、肌７０に与える影響（ダメージ）を抑制することもできる。
【００６１】
また、本実施形態では、長手方向桟（起毛桟）４５の肌接触面４５ｊ（外面の一部）を、当該長手方向桟（起毛桟）４５の他の外面よりも摩擦係数が高い高摩擦面４５ｈとしているため、肌７０が肌接触面４５ｊ上を滑りにくくなる。したがって、肌７０を肌接触面４５ｊに接触させた状態で電気かみそり１を移動させた際には、当該電気かみそり１の移動に伴って肌接触面４５ｊで肌７０を伸ばすことができる。その結果、寝ている体毛７１を根元部分から起毛させることができるようになり、体毛７１の深剃りが可能となる。
【００６２】
また、体毛導入面４５ｋの摩擦係数を高めることで、体毛７１が体毛導入面４５ｋ上を滑ってしまうのを抑制することができる。その結果、摩擦係数が高くなった体毛導入面４５ｋが体毛７１を効率よく捉えることができ、体毛７１をより効率的に刃穴５０内に導入することができるようになる。さらに、刃穴５０内に導入された体毛７１が体毛導入面４５ｋから逃げてしまうのを抑制することができるため、体毛７１をより確実に切断することができる。
【００６３】
このように、本実施形態によれば、寝ている体毛７１の外刃に対する導入性能の向上を図ることができ、体毛７１の剃り効率をより一層高めることができるようになる。
【００６４】
さらに、本実施形態では、摩擦係数を高くした肌接触面４５ｊに、他の桟の外面と異なる微細な凹凸状の表面模様を付している。すなわち、外刃８の外側に露出する面である肌接触面４５ｊに他の桟の外面と異なる微細な凹凸状の表面模様を付している。そのため、電気かみそり１の使用者は、剃りにくい体毛７１を剃る際に、肌接触面４５ｊの表面模様を目印にすることができる。すなわち、長手方向桟（起毛桟）４５を剃りにくい体毛７１が存在する領域に容易に当てることができる。
【００６５】
また、微細な凹凸状の表面模様を付した肌接触面４５ｊに、他の桟の外面とは異なる塗装やメッキなどの表面処理を施せば、肌接触面４５ｊの摩擦係数を高めつつ肌接触面４５ｊの視認性をより高めることができる。
【００６６】
また、本実施形態によれば、ネット刃９，１０，１２の領域のうち肌７０との接触圧が高い部位（頂部９ａ，１０ａ，１２ａ）に、長手方向桟（他の桟）４３を配置するとともに、接触圧が低い部位（外側部９ｂ，１０ｂ，１２ｂ）に、長手方向桟（他の桟）４３の側面（起毛部）４３ｃよりも起毛力の大きい起毛部４５ｃを有する長手方向桟（起毛桟）４５を配置している。
【００６７】
このように、肌７０との接触圧が高い部位の起毛力を、接触圧が低い部位の起毛力よりも小さくすることにより、肌７０との接触圧が高い部位が肌７０に与える影響（ダメージ）を抑制することができる。
【００６８】
また、肌７０との接触圧が低い部位については、肌７０に与える影響がもともと低いため、起毛力を高めて効率的な起毛を行うことができる。
【００６９】
また、本実施形態によれば、桟４０は、ネット刃（外刃）９，１０，１２の長手方向に沿って延設される長手方向桟４２と、長手方向に交差する短手方向に沿って延設される短手方向桟４１とからなり、ネット刃（外刃）９，１０，１２が網目状になっている。そのため、体毛７１を刃穴５０に挿入しやすくなって、体毛７１を剃りやすくすることができるという効果がある。
【００７０】
また、本実施形態によれば、ネット刃（外刃）９，１０，１２は側方から見ると逆Ｕ字状に湾曲して形成されており、側面（起毛部）４３ｃ、側面（起毛部）４４ｃおよび起毛部４５ｃを、ネット刃（外刃）９，１０，１２の長手方向桟４３，４４，４５における短手方向の両端に形成している。このため、電気かみそり１を、短手方向の一方方向および他方方向のいずれの方向に移動させても、体毛７１を起立させることができるため、使用者の使い勝手が良好となるという効果がある。
【００７１】
また、本実施形態によれば、平板部４５ａ側から短手方向の両端に向かうにつれて上方に位置するように傾斜した傾斜部４５ｂを長手方向桟（起毛桟）４５に設けるとともに、この傾斜部４５ｂを、平板部４５ａ側から短手方向の両端に向かうにつれて幅狭となるテーパ状に形成している。そして、傾斜部４５ｂの短手方向端４５ｌに、体毛７１を起立させる起毛部４５ｃを形成している。このように、短手方向端４５ｌを断面テーパ状（先細り形状）にして起毛部４５ｃとすることで、簡素な形状で起毛部４５ｃを形成することができる。また、起毛角（体毛の延びている方向と肌面とのなす角度）の小さい体毛７１が、起毛部４５ｃと肌７０との間に潜り込んでしまうのを抑制することができ、寝ている体毛７１をより確実に起立させることができる。
【００７２】
また、本実施形態によれば、長手方向桟４５における長手方向端部４５ｍは断面略直線状に形成し、長手方向中央部４５ｎに傾斜部４５ｂを設け、これらの長手方向端部４５ｍと長手方向中央部４５ｎとの境界部４５ｏをなだらかに湾曲させて連結させている。このように、長手方向桟４５における長手方向端部４５ｍと長手方向中央部４５ｎとの境界部４５ｏをなだらかに湾曲させて連結させることにより、ネット刃（外刃）９，１０，１２を肌７０に沿って移動させたときに、境界部４５ｏが肌７０に与える影響（ダメージ）を抑制することができる。
【００７３】
以上、本発明の好適な実施形態について説明したが、本発明は上記実施形態には限定されず、種々の変形が可能である。
【００７４】
例えば、上記実施形態では、肌接触面として、平坦面と傾斜面とで略Ｖ字状に形成したものを例示したが、傾斜面同士を連結して略Ｖ字状に形成してもよい。この場合、傾斜面の傾斜を緩くするとともに、傾斜面同士の境界部をなだらかに湾曲させて連結するのが好適である。
【００７５】
また、上記実施形態では、肌接触面および体毛導入面の摩擦係数を高めたものを例示したが、肌接触面の摩擦係数のみ高めるようにしてもよい。
【００７６】
また、桟の形状は、上記実施形態で示したものに限らず、種々の形状とすることができる。
【００７７】
また、上記実施形態では、外刃を４枚並列したものを例示したが、外刃の数は、１〜３枚であっても、５枚以上であってもよい。
【００７８】
また、上記実施形態では、３枚のネット刃のそれぞれに起毛桟を設けたものを例示したが、スリット刃を含めて少なくともいずれか１つの外刃に起毛桟が設けられていればよい。
【００７９】
また、上記実施形態では、グリップ部に固定されたヘッド部に外刃が設けられたものを例示したが、グリップ部に外刃を設けるようにしてもよい。
【００８０】
また、外刃や内刃、桟、その他細部のスペック（形状、大きさ、レイアウト等）も適宜に変更可能である。
【符号の説明】
【００８１】
１  電気かみそり
８  外刃
１３  内刃
４０  桟
４１  短手方向桟（他の桟）
４３  長手方向桟（他の桟）
４３ａ  表面（肌接触面：外面）
４４  長手方向桟（他の桟）
４４ａ  表面（肌接触面）
４５  長手方向桟（起毛桟）
４５ｃ  起毛部
４５ｄ  上部平坦面（平坦面）
４５ｅ  上部傾斜面（傾斜面）
４５ｈ  高摩擦面
４５ｊ  肌接触面
５０  刃穴
７１  体毛
【図１】
2011200488.tif 000003
【図２】
2011200488.tif 000004
【図３】
2011200488.tif 000005
【図４】
2011200488.tif 000006
【図５】
2011200488.tif 000007
【図６】
2011200488.tif 000008
【図７】
2011200488.tif 000009
【図８】
2011200488.tif 000010
【図９】
2011200488.tif 000011
【図１０】
2011200488.tif 000012
【図１１】
2011200488.tif 000013
【図１２】
2011200488.tif 000014
【図１３】
2011200488.tif 000015
【図１４】
2011200488.tif 000016